(57)【特許請求の範囲】
【請求項１】
透光材料より成るキートップと、キートップに嵌合固定される透明カバーと、透明カバーとキートップの間に挟持されるフィルムと、キートップに嵌合固定されるキーボトムと、キートップを照光する発光灯体を有し、
上記透明カバーと上記キートップとの間の嵌合固定の保持力を上記キートップと上記キーボトムとの間の嵌合固定の保持力と比較して大きく設定した照光式押しボタンスイッチにおいて、
上記透明カバーの一方の相対向する側壁にはＴ字型に切り欠かれた顎部を有するＴ字型切り欠き部を形成し、
上記キートップの一方の相対向する側壁の外側に上記透明カバーのＴ字型切り欠き部と係合するキートップ凸部、および左右に整列する１対のキートップ爪部を形成すると共にこの相対向する側壁の内側にキートップ凸部に対応して上側面が側壁の内側に向けて下降する傾斜面とされた傾斜突出部を形成し、
左右の上記キートップ爪部の底辺が上記Ｔ字型切り欠き部のＴ字の水平部の両端部と水平状態で面接触して係合して、その係合面が上記透明カバーとキートップとの間の嵌合固定の保持力とされ、
上記キートップ凸部は上記Ｔ字型切り欠き部のＴ字の垂直部において、上記キートップ凸部の上面と、上記キートップ爪部の相対向するそれぞれの端面と、上記Ｔ字型切り欠き部の水平部の下方を向いた面とで囲まれる部位に抜き取り冶具を差し込む空間が形成されるように配置され、
上記キーボトムの上端周縁部側面に上記キートップの傾斜突出部が係合するキーボトム穴部を形成して、その係合部が上記キートップと上記キーボトムとの間の嵌合固定の保持力とされ、
たことを特徴とする照光式押しボタンスイッチ。
【請求項２】
請求項１に記載される照光式押しボタンスイッチにおいて、
上記キートップの他方の相対向する側壁の下端外側にストッパを形成し、
上記透明カバーの他方の相対向する側壁の下端内側にキートップのストッパに対応係合する係合部を形成したことを特徴とする照光式押しボタンスイッチ。
【発明の詳細な説明】
【０００１】
【発明の属する技術分野】
この発明は、照光式押しボタンスイッチに関し、特に、透明カバーとキートップとの間の嵌合固定の保持力をキートップとキーボトムとの間の嵌合固定の保持力と比較して大きく設定した照光式押しボタンスイッチに関する。
【０００２】
【従来の技術】
従来例を図５および図６を参照して説明する。
図５に示される各部材を組み立てて図６の照光式押しボタンスイッチを構成することができる。発光ダイオードアレイ４、ケース５、プッシャ６、椀状ラバーコンタクト７、ベース８によりスイッチ部１０が形成される。スイッチ部１０の上側にキートップ２、フィルム２０、透明カバー１をこの順に組み立てる。
【０００３】
透明材料より成る透明カバー１は、その相対向する２側壁の下端周縁部の内側中間部に相対向して上側および下側共にテーパ面とする係止突起１２が形成されている。キートップ２は、その相対向する２側壁の下端周縁部の中間部に相対向して、角型の係合孔２５が貫通形成されている。キーボトム３は、その上端周縁部の外側中間部に相対向して、上側をテーパ面とすると共に下側を水平係合面とする係合突起３５が形成されている。４は発光ダイオードアレイ、５はケース、６はプッシャ、７は椀状ラバーコンタクト、８はベースである。ベース８の底部内側面には固定接点８２が形成されている。
【０００４】
スイッチ部１０の上側にキートップ２、フィルム２０、透明カバー１をこの順に組み立てるに際して、スイッチ部１０の最上部に位置するキーボトム３に対してキートップ２を嵌合する。この場合、キートップ２の相対向する２側壁の下端周縁部の中間部に形成される角型の係合孔２５を、キーボトム３の上端周縁部の外側中間部に形成される係合突起３５に対応させて、キートップ２を下向きに圧し込むことにより、キートップ２はその角型の係合孔２５がキーボトム３の係合突起３５の上側のテーパ面に案内されて圧し下げられ、最終的に係合突起３５が角型の係合孔２５に弾性的に嵌合して係合突起３５の下側の水平係合面が角型の係合孔２５に係合する。この係合状態で、キートップ２を単に上向きに引き出そうとしても引き出すことはできない。
【０００５】
次いで、キートップ２の上面にフィルム２０を載置する。そして、透明カバー１をキートップ２に対して圧し込んで嵌合する。この場合、透明カバー１の相対向する２側壁の下端周縁部の内側中間部に相対向して上側と下側共にテーパ面とする係止突起１２が形成されているので、透明カバー１は係止突起１２の下側テーパ面に案内されて圧し下げられ、最終的に係止突起１２はその上側テーパ面をキートップ２の下端縁に弾性的に係合し、透明カバー１はキートップ２に係止するに到る。
【０００６】
組み立ての完了した照光式押しボタンスイッチは、これを電気回路に組み込んで使用される。ここで、キートップ２を、透明カバー１を介して下向きに押圧操作することにより、キートップ２はこれに嵌合固定されるキーボトム３のキーボトム操作爪部３２を介して、ラバーコンタクト７のゴム弾性に抗してプッシャ６を押し下げ、ラバーコンタクト７を押圧反転せしめることができる。これによりラバーコンタクト７の内面中心に取り付けられる可動接点７１がベース８の底部内側面に取り付けられる固定接点８２に接触し、スイッチは切り替えられる。この押圧操作により発光ダイオードアレイ４も図示されない電気経路を介して点灯し、フィルム２０を照光する。
【０００７】
【発明が解決しようとする課題】
以上の照光式押しボタンスイッチにおいて、必要に応じてフィルム２０を交換するには、透明カバー１をその下端に上向きに力を加えてキートップ２から引き外す必要がある。この場合、透明カバー１の下端に上向きに力を加えると、透明カバー１の係止突起１２を介してキートップ２に上向きに力が加わるが、キーボトム３の係合突起３５の下側の水平係合面がキートップ２の係合孔２５に弾性的に嵌合しているので、キートップ２を上向きに引き外そうとしても決して引き外すことはできない。これに対して、透明カバー１とキートップ２とは、係止突起１２の上側テーパ面がキートップ２の下端部に係止しているに過ぎないので、この係止の力は先のキーボトム３の係合突起３５とキートップ２の係合孔２５の間の嵌合の力と比較して格段に小さい。ここで、透明カバー１の下端に上向きの力を加えれば、透明カバー１の係止突起１２とキートップ２の下端部との間の係止が簡単に外れて透明カバー１のみが単独でキートップ２から取り外される。キートップ２のみが単独で取り外されることにより、透明カバー１とキートップ２により挟持されているフィルム２０は自由の状態になり、交換作業中に多数近接して基板に配列設置されている照光式押しボタンスイッチの間の隙間に落下する場合がある。これを拾い出すのは容易ではなく、この交換作業を手間のかかる作業にしている。
【０００８】
この発明は、透明カバーとキートップとの間の嵌合固定の保持力をキートップとキーボトムとの間の嵌合固定の保持力と比較して大きく設定し、フィルムを挟持した状態で透明カバーとキートップとを一体の状態でスイッチ部側から取り外す構成を採用して上述の問題を解消した照光式押しボタンスイッチを提供するものである。
【０００９】
【課題を解決するための手段】
請求項１：透光材料より成るキートップ２と、キートップ２に嵌合固定される透明カバー１と、透明カバー１とキートップ２との間に挟持されるフィルム２０と、キートップ２に嵌合固定されるキーボトム３と、キートップ２を照光する発光灯体４を有する照光式押しボタンスイッチにおいて、透明カバー１とキートップ２との間の嵌合固定の保持力をキートップ２とキーボトム３との間の嵌合固定の保持力と比較して大きく設定した。
【００１０】
透明カバー１の相対向する２側壁にはＴ字型に切り欠かれた顎部１１１を有するＴ字型切り欠き部１１を形成し、キートップ２の相対向する側壁の外側に透明カバー１のＴ字型切り欠き部１１と係合するキートップ凸部２１、および左右に整列する１対のキートップ爪部２２を形成すると共にこの相対向する側壁の内側にキートップ凸部２１に対応して傾斜突出部２３を形成し、左右のキートップ爪部２２の底辺がＴ字型切り欠き部１１のＴ字の水平部の両端部と水平状態で面接触して係合して、その係合面が透明カバー１とキートップ２との間の嵌合固定の保持力とされ、キートップ凸部２１はＴ字型切り欠き部１１のＴ字の垂直部において、記キートップ凸部２１の上面と、キートップ部２１の相対向するそれぞれの端面と、Ｔ字型切り欠き部１１の水平部の下方を向いた面とで囲まれる部位に抜き取り冶具９を差し込む空間が形成されるように配置され、キーボトム３の上端周縁部側面にキートップ２の傾斜突出部２３が係合するキーボトム穴部３１を形成して、その係合部がキートップ２とキーボトム３との間の嵌合固定の保持力とされる。
【００１１】
更に、請求項２：請求項１に記載される照光式押しボタンスイッチにおいて、キートップ２の相対向する側壁の下端外側にストッパ２４を形成し、透明カバー１の相対向する側壁の下端内側にキートップ２のストッパ２４に対応係合する係合部１３を形成した照光式押しボタンスイッチを構成した。
【００１２】
【発明の実施の形態】
この発明の実施の形態を図１および図２の実施例を参照して説明する。図１は実施例の分解斜視図、図２（ａ）は実施例の正面図、図２（ｂ）は図２（ａ）における線ａ−ａに沿った断面を示す図、図３は実施例の一部詳細断面図である。１は透明材料より成る透明カバーであり、その相対向する２側壁にはＴ字型に切り欠かれたＴ字型切り欠き部１１が形成されている。１１１はＴ字型切り欠き部１１を構成する顎部である。そして、透明カバー１の相対向する側壁の下端内側には後で説明されるキートップ２のストッパ２４に対応係合する係合部１３が形成されている。
【００１３】
２は透光材料より成るキートップであり、その相対向する側壁の外側には透明カバー１のＴ字型切り欠き部１１と係合するキートップ凸部２１およびキートップ凸部２１の左右両側に整列して１対のキートップ爪部２２が形成されている。この相対向する側壁の内側には傾斜突出部２３がキートップ凸部２１に対応して形成されている。ここで、キートップ爪部２２の上側は傾斜面とされているが、下側は水平係合面とされている。傾斜突出部２３の上側面および下側面は共に傾斜して形成されている。そして、キートップ２の相対向する側壁の下端外側にはストッパ２４が形成されている。
【００１４】
３はキーボトムであり、その上端周縁部側面には、キートップ２の傾斜突出部２３が係合するキーボトム穴部３１が形成されると共に、下端周縁部端面にはキーボトム操作爪部３２が垂下形成されている。
４は発光灯体を構成する発光ダイオードアレイであり、その周縁部側面にはアレイ凹部４１が形成されている。
５はケースであり、その内側にはアレイ凹部４１に嵌合するケース凸部５１が形成されている。ケース５の１側壁にはケーススリット５２が形成されている。
【００１５】
６はプッシャであり、ケーススリット５２に嵌合案内されて摺動するプッシャ爪部６１とキーボトム操作爪部３２が挿通されるプッシャ穴部６２が形成されている。
７は椀状ラバーコンタクトであり、内面中心には可動接点７１が取り付け固定されている。
８はベースであり、その側壁にはベース爪部８０が突出形成されている。ベース８の底部８１内側面には固定接点８２が形成されると共に、固定接点８２からリード片８３が導出されている。
【００１６】
ここで、照光式押しボタンスイッチの組み立て工程を説明する
（工程１）
ケース５にベース８を下から組み込む。この場合、ベース８のベース爪部８０とケース５の向きとを図示される通りの向きにして組み込む。
（工程２）
ベース８にラバーコンタクト７を上から挿入する。ラバーコンタクト７は底部８１の内側面から浮き上がりなく、所定位置に正しく挿入する。
【００１７】
（工程３）
ケース５にプッシャ６を組み込む。この場合、プッシャ６のプッシャ爪部６１をケース５の側壁に形成されるケーススリット５２に圧し込む。ここで、プッシャ６はラバーコンタクト７のゴム弾性により押し上げられ、プッシャ爪部６１はケーススリット５２の上端部に係止している。
（工程４）
ケース５に発光ダイオードアレイ４を組み込む。ケース凸部５１と発光ダイオードアレイ４のアレイ凹部４１を合わせて組み込む。
【００１８】
（工程５）
プッシャ６にキーボトム３を組み込む。この場合、キーボトム操作爪部３２をプッシャ爪部６１の両側においてプッシャ穴部６２に挿通した状態でプッシャ６にキーボトム３を圧し込む。ここで、キーボトム３はキーボトム操作爪部３２がプッシャ穴部６２に下側から弾性的に係合し、上に外れない状態に取り付けられる。
【００１９】
（工程６）
キートップ２に透明カバー１を組み込む。この場合、相対向する２側壁に形成される合計４個のキートップ爪部２２に透明カバー１の側壁に形成されるＴ字型切り欠き部１１を構成する顎部１１１のそれぞれを位置決めして下向きに圧し込んで組み込む。ここで、透明カバー１の顎部１１１は、キートップ２のキートップ爪部２２の上側の傾斜面に案内されながら圧し込まれ、下側の水平係合面の下側に弾性的に変位する。この場合、キートップ２の相対向する側壁の下端外側にストッパ２４を形成し、透明カバー１の相対向する側壁の下端内側にキートップ２のストッパ２４に対応係合する係合部１３を形成しており、キートップ２に透明カバー１を組み込むに際して、ストッパ２４は透明カバー１の押し込みを停止するストッパとして動作する。
【００２０】
（工程７）
キーボトム３にキートップ２を組み込む。この場合、キートップ凸部２１を図示の向きに整列して圧し込み、キートップ２の側壁の内側に形成される傾斜突出部２３をキーボトム３のキーボトム穴部３１に係合させて組み込む。
組み立ての完了した照光式押しボタンスイッチは、これを電気回路に組み込んで使用される。ここで、キートップ２を、透明カバー１を介して下向きに押圧操作することにより、キートップ２はこれに嵌合固定されるキーボトム３のキーボトム操作爪部３２を介して、ラバーコンタクト７のゴム弾性に抗してプッシャ６を押し下げ、ラバーコンタクト７を押圧反転せしめることができる。これによりラバーコンタクト７の内面中心に取り付けられる可動接点７１がベース８の底部内側面に取り付けられる固定接点８２に接触し、スイッチは切り替えられる。この押圧操作により発光ダイオードアレイ４も図示されない電気経路を介して点灯し、フィルム２０を照光する。
【００２１】
ここで、図４を参照してフィルムを交換するに使用される抜き取り治具を説明する。この抜き取り治具９は弾性金属板を原材料として、これを板金加工して形成したものであり、弾性を有する１対の把持部９１を連結部９２を介して結合している。把持部９１の先端部は内向きに屈曲して係合片９１１とされている。
以上の照光式押しボタンスイッチにおいて、抜き取り治具９を使用して透明カバー１およびキートップ２を容易に取り外し、フィルム交換することができる。図３をも参照して説明するに、先ず、透明カバー１のＴ字型切り欠き部１１に抜き取り治具９の係合片９１１を差し込み、上方に引き上げる。この場合、キーボトム３のキーボトム穴部３１と傾斜突出部２３の間の保持力は、顎部１１１とキートップ２のキートップ爪部２２の間の保持力と比較して、極端に小さいので、必ず、キーボトム穴部３１と傾斜突出部２３の間の係合が外れ、透明カバー１およびキートップ２が一体の状態で取り外すことができる。即ち、Ｔ字型切り欠き部１１の顎部１１１は、キートップ２のキートップ爪部２２の下側の水平係合面により上向きの変位は完全に阻止されており、キートップ２を単に上向きに引き出そうとしても引き出すことはできない。これに対して、キートップ２の傾斜突出部２３とキーボトム３のキーボトム穴部３１との間の保持力は、傾斜突出部２３の上側の傾斜面とキーボトム穴部３１との間に形成されているので、キートップ２に上向きに力を加えれば、キートップ２は傾斜突出部２３の上側の傾斜面がキーボトム穴部３１に案内されて簡単に上向きに駆動される。
【００２２】
次に、キートップ２が上側に位置する状態、即ち、透明カバー１を逆にして抜き取り治具９の係合片９１１を透明カバー１のＴ字型切り欠き部１１のスリット部分に差し込み、両側から挟み込んで力を加えると、キートップ爪部２２が顎部１１１から外れ、更に抜き取り治具９の係合片９１１をキートップ２の凸部２１に引っ掛けながら引き抜くと、容易に透明カバー１からキートップ２を取り外すことができる。この状態で、透明カバー１を逆にすると、フィルム２０が落下する。
【００２３】
また、フィルム２０を組み込む場合、透明カバー１内側にフィルム２０を落し込み、その上からキートップ２を組み込んでキートップ爪部２２を嵌合させる。これを逆さにしてキートップ２をキーボトム３に組み込み、傾斜突出部２３を嵌合させる。
【００２４】
【発明の効果】
以上の通りであって、この発明によれば、フィルム２０を挟持した状態で透明カバー１とキートップ２とを一体の状態でスイッチ部１０側から取り外し、照光式押しボタンスイッチから離隔したところで抜き取り治具を使用してフィルムを交換をする。従って、交換作業中に多数近接して基板に配列設置されている照光式押しボタンスイッチの間の隙間にフィルム２０を落下させることは本来有り得ないこととなり、それだけフィルム交換作業を簡略化する。
【００２５】
そして、図１（ｂ）の線Ｂ−Ｂに沿った断面を示す図３（ｃ）を参照するに、キートップ２の相対向する側壁の下端外側にストッパ２４を形成し、透明カバー１の相対向する側壁の下端内側にキートップ２のストッパ２４に対応係合する係合部１３を形成したことにより、従来例の如く透明カバー１のフィルム２０を収容する領域の周縁部にストッパとして環状の段部を形成する必要は無くなった。従来、この段部の周縁を構成する線が透明カバー１の外部から透けて見えて外観上好ましくなかったが、この欠点を解消することができた。
【図面の簡単な説明】
【図１】実施例の分解斜視図。
【図２】実施例を説明する図。
【図３】実施例の一部詳細断面図。
【図４】抜き取り治具を説明する図。
【図５】従来例の分解斜視図。
【図６】従来例を説明する図。
【符号の説明】
１  透明カバー
１１  Ｔ字型切り欠き部
１１１  顎部
２  キートップ
２０  フィルム
２１  キートップ凸部
２２  キートップ爪部
２３  傾斜突出部
３  キーボトム
３１  キーボトム穴部
４  発光灯体
【図１】
0003673940.tif 000002
【図２】
0003673940.tif 000003
【図３】
0003673940.tif 000004
【図４】
0003673940.tif 000005
【図５】
0003673940.tif 000006
【図６】
0003673940.tif 000007